(57)【特許請求の範囲】
【請求項１】
閃光素子と、その閃光素子とは異なる発光素子と、前記閃光素子および前記発光素子からの光を反射するための凹状のリフレクタとを具備するストロボ装置において、
前記閃光素子からの光を反射するための閃光素子用反射面と、前記発光素子からの光を反射するための発光素子用反射面とを凹状の前記リフレクタに別個に設け、
前記閃光素子を凹状の前記リフレクタの内側に配置し、
前記閃光素子からの光の光路から外れた位置に前記発光素子用反射面を配置し、
前記発光素子を凹状の前記リフレクタの外側に配置し、
前記発光素子からの光を凹状の前記リフレクタの内側の前記発光素子用反射面に導光するための導光手段を設け、
前記導光手段の出光部と、前記発光素子用反射面とを、前記閃光素子用反射面の上側および下側のうちの第１の側に配置し、
前記導光手段の前記出光部から出光した光を前記発光素子用反射面に反射するための中間反射面を、前記閃光素子用反射面の上側および下側のうちの前記第１の側の反対側の第２の側に配置し、
前記導光手段の前記出光部から出光した第１の光が、中間反射面の第１位置で反射され、次いで、発光素子用反射面の第１位置で反射され、水平面と第１角度をなす光となってストロボ装置の前側に照射され、
前記導光手段の前記出光部から出光した第２の光が、前記中間反射面の第１位置より後側の中間反射面の第２位置で反射され、次いで、前記発光素子用反射面の第１位置より前側の発光素子用反射面の第２位置で反射され、水平面と前記第１角度より大きい第２角度をなす光となって、ストロボ装置の前側、かつ、ストロボ装置の上側および下側のうちの前記第２の側に照射されることを特徴とするストロボ装置。
【請求項２】
前記発光素子用反射面を概略階段状の複数の平面によって構成し、
前記中間反射面を概略階段状の複数の平面によって構成したことを特徴とする請求項１に記載のストロボ装置。
【請求項３】
閃光素子と、その閃光素子とは異なる第１発光素子と、その閃光素子とは異なる第２発光素子と、前記閃光素子、前記第１発光素子および前記第２発光素子からの光を反射するための凹状のリフレクタとを具備するストロボ装置において、
前記閃光素子からの光を反射してストロボ装置の照射方向に照射するための閃光素子用反射面と、前記第１発光素子からの光を反射してストロボ装置の照射方向に照射するための第１発光素子用反射面と、前記第２発光素子からの光を反射してストロボ装置の照射方向に照射するための第２発光素子用反射面とを凹状の前記リフレクタに別個に設け、
前記閃光素子を凹状の前記リフレクタの内側に配置し、
前記第１発光素子用反射面を前記閃光素子からの光の光路から外れた位置であって前記閃光素子用反射面の上側に配置し、
前記第２発光素子用反射面を前記閃光素子からの光の光路から外れた位置であって前記閃光素子用反射面の下側に配置し、
前記第１発光素子を凹状の前記リフレクタの外側であって前記閃光素子用反射面の上側に配置し、
前記第２発光素子を凹状の前記リフレクタの外側であって前記閃光素子用反射面の下側に配置し、
前記第１発光素子からの光を凹状の前記リフレクタの内側の前記第２発光素子用反射面に導光するための第１導光手段の出光部を前記閃光素子用反射面の上側に配置し、
前記第２発光素子からの光を凹状の前記リフレクタの内側の前記第１発光素子用反射面に導光するための第２導光手段の出光部を前記閃光素子用反射面の下側に配置し、
前記第１導光手段の出光部から出光した第１の光が、第２発光素子用反射面の第１位置で反射され、次いで、第１発光素子用反射面の第１位置で反射され、水平面と第１角度をなす光となってストロボ装置の照射方向であるストロボ装置の前側に照射され、
前記第１導光手段の出光部から出光した第２の光が、前記第２発光素子用反射面の第１位置より後側の第２発光素子用反射面の第２位置で反射され、次いで、前記第１発光素子用反射面の第１位置より前側の第１発光素子用反射面の第２位置で反射され、水平面と前記第１角度より大きい第２角度をなす光となって、ストロボ装置の照射方向であるストロボ装置の前側、かつ、ストロボ装置の下側に照射され、
前記第２導光手段の出光部から出光した第３の光が、第１発光素子用反射面の第３位置で反射され、次いで、第２発光素子用反射面の第３位置で反射され、水平面と第３角度をなす光となってストロボ装置の照射方向であるストロボ装置の前側に照射され、
前記第２導光手段の出光部から出光した第４の光が、前記第１発光素子用反射面の第３位置より後側の第１発光素子用反射面の第４位置で反射され、次いで、前記第２発光素子用反射面の第３位置より前側の第２発光素子用反射面の第４位置で反射され、水平面と前記第３角度より大きい第４角度をなす光となって、ストロボ装置の照射方向であるストロボ装置の前側、かつ、ストロボ装置の上側に照射されることを特徴とするストロボ装置。
【請求項４】
閃光素子と、その閃光素子とは異なる発光素子と、前記閃光素子および前記発光素子からの光を反射するための凹状のリフレクタとを具備するストロボ装置において、
前記閃光素子からの光を反射してストロボ装置の照射方向に照射するための閃光素子用反射面と、前記発光素子からの光を反射してストロボ装置の照射方向に照射するための発光素子用反射面とを凹状の前記リフレクタに別個に設け、
前記閃光素子を凹状のリフレクタの内側に配置し、
前記発光素子用反射面を、前記閃光素子からの光の光路から外れた位置であって、前記閃光素子用反射面の上側の発光素子用反射面上側部分と、前記閃光素子用反射面の下側の発光素子用反射面下側部分とに分割して形成し、
前記発光素子を凹状のリフレクタの外側であって前記閃光素子用反射面の後側に配置し、
前記発光素子からの光を凹状の前記リフレクタの内側の前記発光素子用反射面に導光するための導光手段を、前記閃光素子用反射面の上側に延びている導光手段上側部分と、前記閃光素子用反射面の下側に延びている導光手段下側部分とに分岐させて形成し、
前記導光手段上側部分の出光部から出光した第１の光が、発光素子用反射面下側部分の第１位置で反射され、次いで、発光素子用反射面上側部分の第１位置で反射され、水平面と第１角度をなす光となってストロボ装置の照射方向であるストロボ装置の前側に照射され、
前記導光手段上側部分の出光部から出光した第２の光が、前記発光素子用反射面下側部分の第１位置より後側の発光素子用反射面下側部分の第２位置で反射され、次いで、前記発光素子用反射面上側部分の第１位置より前側の発光素子用反射面上側部分の第２位置で反射され、水平面と前記第１角度より大きい第２角度をなす光となって、ストロボ装置の照射方向であるストロボ装置の前側、かつ、ストロボ装置の下側に照射され、
前記導光手段下側部分の出光部から出光した第３の光が、発光素子用反射面上側部分の第３位置で反射され、次いで、発光素子用反射面下側部分の第３位置で反射され、水平面と第３角度をなす光となってストロボ装置の照射方向であるストロボ装置の前側に照射され、
前記導光手段下側部分の出光部から出光した第４の光が、前記発光素子用反射面上側部分の第３位置より後側の発光素子用反射面上側部分の第４位置で反射され、次いで、前記発光素子用反射面下側部分の第３位置より前側の発光素子用反射面下側部分の第４位置で反射され、水平面と前記第３角度より大きい第４角度をなす光となって、ストロボ装置の照射方向であるストロボ装置の前側、かつ、ストロボ装置の上側に照射されることを特徴とするストロボ装置。
【請求項５】
前記導光手段を可撓性に形成したことを特徴とする請求項４に記載のストロボ装置。
【発明の詳細な説明】
【技術分野】
【０００１】
本発明は、閃光素子と、その閃光素子とは異なる発光素子と、閃光素子および発光素子からの光を反射するための凹状のリフレクタとを具備するストロボ装置に関し、特には、閃光素子からの光の配光制御と、発光素子からの光の配光制御とを完全に独立して行うことができるストロボ装置に関する。
【背景技術】
【０００２】
従来から、閃光素子と、その閃光素子とは異なる発光素子と、閃光素子および発光素子からの光を反射するための凹状のリフレクタとを具備するストロボ装置が知られている。この種のストロボ装置の例としては、例えば特開２００５−１７８１４号公報の図４に記載されたものがある。
【０００３】
特開２００５−１７８１４号公報の図４に記載されたストロボ装置では、閃光素子としてのキセノン管から放射された光の一部が、凹状のリフレクタの反射面によって反射され、ストロボ装置の照射方向に照射される。
【０００４】
また、特開２００５−１７８１４号公報の図４に記載されたストロボ装置では、発光素子としての発光ダイオードから放射された光が、凹状のリフレクタの反射面によって反射され、ストロボ装置の照射方向に照射される。
【０００５】
ところで、特開２００５−１７８１４号公報の図４に記載されたストロボ装置では、閃光素子からの光を反射するための反射面および発光素子からの光を反射するための反射面として、同一の反射面が用いられている。
【０００６】
そのため、特開２００５−１７８１４号公報の図４に記載されたストロボ装置では、閃光素子からの光によって形成される配光パターンと、発光素子からの光によって形成される配光パターンとが、少なくとも一部分重複してしまう。
【０００７】
つまり、特開２００５−１７８１４号公報の図４に記載されたストロボ装置では、閃光素子からの光の配光制御と、発光素子からの光の配光制御とを完全に独立して行うことができない。
【０００８】
【特許文献１】特開２００５−１７８１４号公報の図４
【発明の開示】
【発明が解決しようとする課題】
【０００９】
前記問題点に鑑み、本発明は、閃光素子からの光の配光制御と、発光素子からの光の配光制御とを完全に独立して行うことができるストロボ装置を提供することを目的とする。
【課題を解決するための手段】
【００１０】
請求項１に記載の発明によれば、閃光素子と、その閃光素子とは異なる発光素子と、前記閃光素子および前記発光素子からの光を反射するための凹状のリフレクタとを具備するストロボ装置において、
前記閃光素子からの光を反射するための閃光素子用反射面と、前記発光素子からの光を反射するための発光素子用反射面とを凹状の前記リフレクタに別個に設け、
前記閃光素子を凹状の前記リフレクタの内側に配置し、
前記閃光素子からの光の光路から外れた位置に前記発光素子用反射面を配置し、
前記発光素子を凹状の前記リフレクタの外側に配置し、
前記発光素子からの光を凹状の前記リフレクタの内側の前記発光素子用反射面に導光するための導光手段を設け、
前記導光手段の出光部と、前記発光素子用反射面とを、前記閃光素子用反射面の上側および下側のうちの第１の側に配置し、
前記導光手段の前記出光部から出光した光を前記発光素子用反射面に反射するための中間反射面を、前記閃光素子用反射面の上側および下側のうちの前記第１の側の反対側の第２の側に配置し、
前記導光手段の前記出光部から出光した第１の光が、中間反射面の第１位置で反射され、次いで、発光素子用反射面の第１位置で反射され、水平面と第１角度をなす光となってストロボ装置の前側に照射され、
前記導光手段の前記出光部から出光した第２の光が、前記中間反射面の第１位置より後側の中間反射面の第２位置で反射され、次いで、前記発光素子用反射面の第１位置より前側の発光素子用反射面の第２位置で反射され、水平面と前記第１角度より大きい第２角度をなす光となって、ストロボ装置の前側、かつ、ストロボ装置の上側および下側のうちの前記第２の側に照射されることを特徴とするストロボ装置が提供される。
【００１１】
請求項２に記載の発明によれば、前記発光素子用反射面を概略階段状の複数の平面によって構成し、
前記中間反射面を概略階段状の複数の平面によって構成したことを特徴とする請求項１に記載のストロボ装置が提供される。
【００１２】
請求項３に記載の発明によれば、閃光素子と、その閃光素子とは異なる第１発光素子と、その閃光素子とは異なる第２発光素子と、前記閃光素子、前記第１発光素子および前記第２発光素子からの光を反射するための凹状のリフレクタとを具備するストロボ装置において、
前記閃光素子からの光を反射してストロボ装置の照射方向に照射するための閃光素子用反射面と、前記第１発光素子からの光を反射してストロボ装置の照射方向に照射するための第１発光素子用反射面と、前記第２発光素子からの光を反射してストロボ装置の照射方向に照射するための第２発光素子用反射面とを凹状の前記リフレクタに別個に設け、
前記閃光素子を凹状の前記リフレクタの内側に配置し、
前記第１発光素子用反射面を前記閃光素子からの光の光路から外れた位置であって前記閃光素子用反射面の上側に配置し、
前記第２発光素子用反射面を前記閃光素子からの光の光路から外れた位置であって前記閃光素子用反射面の下側に配置し、
前記第１発光素子を凹状の前記リフレクタの外側であって前記閃光素子用反射面の上側に配置し、
前記第２発光素子を凹状の前記リフレクタの外側であって前記閃光素子用反射面の下側に配置し、
前記第１発光素子からの光を凹状の前記リフレクタの内側の前記第２発光素子用反射面に導光するための第１導光手段の出光部を前記閃光素子用反射面の上側に配置し、
前記第２発光素子からの光を凹状の前記リフレクタの内側の前記第１発光素子用反射面に導光するための第２導光手段の出光部を前記閃光素子用反射面の下側に配置し、
前記第１導光手段の出光部から出光した第１の光が、第２発光素子用反射面の第１位置で反射され、次いで、第１発光素子用反射面の第１位置で反射され、水平面と第１角度をなす光となってストロボ装置の照射方向であるストロボ装置の前側に照射され、
前記第１導光手段の出光部から出光した第２の光が、前記第２発光素子用反射面の第１位置より後側の第２発光素子用反射面の第２位置で反射され、次いで、前記第１発光素子用反射面の第１位置より前側の第１発光素子用反射面の第２位置で反射され、水平面と前記第１角度より大きい第２角度をなす光となって、ストロボ装置の照射方向であるストロボ装置の前側、かつ、ストロボ装置の下側に照射され、
前記第２導光手段の出光部から出光した第３の光が、第１発光素子用反射面の第３位置で反射され、次いで、第２発光素子用反射面の第３位置で反射され、水平面と第３角度をなす光となってストロボ装置の照射方向であるストロボ装置の前側に照射され、
前記第２導光手段の出光部から出光した第４の光が、前記第１発光素子用反射面の第３位置より後側の第１発光素子用反射面の第４位置で反射され、次いで、前記第２発光素子用反射面の第３位置より前側の第２発光素子用反射面の第４位置で反射され、水平面と前記第３角度より大きい第４角度をなす光となって、ストロボ装置の照射方向であるストロボ装置の前側、かつ、ストロボ装置の上側に照射されることを特徴とするストロボ装置が提供される。
【００１３】
請求項４に記載の発明によれば、閃光素子と、その閃光素子とは異なる発光素子と、前記閃光素子および前記発光素子からの光を反射するための凹状のリフレクタとを具備するストロボ装置において、
前記閃光素子からの光を反射してストロボ装置の照射方向に照射するための閃光素子用反射面と、前記発光素子からの光を反射してストロボ装置の照射方向に照射するための発光素子用反射面とを凹状の前記リフレクタに別個に設け、
前記閃光素子を凹状のリフレクタの内側に配置し、
前記発光素子用反射面を、前記閃光素子からの光の光路から外れた位置であって、前記閃光素子用反射面の上側の発光素子用反射面上側部分と、前記閃光素子用反射面の下側の発光素子用反射面下側部分とに分割して形成し、
前記発光素子を凹状のリフレクタの外側であって前記閃光素子用反射面の後側に配置し、
前記発光素子からの光を凹状の前記リフレクタの内側の前記発光素子用反射面に導光するための導光手段を、前記閃光素子用反射面の上側に延びている導光手段上側部分と、前記閃光素子用反射面の下側に延びている導光手段下側部分とに分岐させて形成し、
前記導光手段上側部分の出光部から出光した第１の光が、発光素子用反射面下側部分の第１位置で反射され、次いで、発光素子用反射面上側部分の第１位置で反射され、水平面と第１角度をなす光となってストロボ装置の照射方向であるストロボ装置の前側に照射され、
前記導光手段上側部分の出光部から出光した第２の光が、前記発光素子用反射面下側部分の第１位置より後側の発光素子用反射面下側部分の第２位置で反射され、次いで、前記発光素子用反射面上側部分の第１位置より前側の発光素子用反射面上側部分の第２位置で反射され、水平面と前記第１角度より大きい第２角度をなす光となって、ストロボ装置の照射方向であるストロボ装置の前側、かつ、ストロボ装置の下側に照射され、
前記導光手段下側部分の出光部から出光した第３の光が、発光素子用反射面上側部分の第３位置で反射され、次いで、発光素子用反射面下側部分の第３位置で反射され、水平面と第３角度をなす光となってストロボ装置の照射方向であるストロボ装置の前側に照射され、
前記導光手段下側部分の出光部から出光した第４の光が、前記発光素子用反射面上側部分の第３位置より後側の発光素子用反射面上側部分の第４位置で反射され、次いで、前記発光素子用反射面下側部分の第３位置より前側の発光素子用反射面下側部分の第４位置で反射され、水平面と前記第３角度より大きい第４角度をなす光となって、ストロボ装置の照射方向であるストロボ装置の前側、かつ、ストロボ装置の上側に照射されることを特徴とするストロボ装置が提供される。
【００１４】
請求項５に記載の発明によれば、前記導光手段を可撓性に形成したことを特徴とする請求項４に記載のストロボ装置が提供される。
【発明の効果】
【００１７】
請求項１に記載のストロボ装置では、閃光素子からの光を反射するための閃光素子用反射面と、閃光素子とは異なる発光素子からの光を反射するための発光素子用反射面とが、凹状のリフレクタに別個に設けられている。また、閃光素子が凹状のリフレクタの内側に配置され、発光素子用反射面が、閃光素子からの光の光路から外れた位置に配置されている。
【００１８】
更に、請求項１に記載のストロボ装置では、発光素子が凹状のリフレクタの外側に配置されている。また、発光素子からの光を凹状のリフレクタの内側の発光素子用反射面に導光するための導光手段が設けられている。
【００１９】
そのため、請求項１に記載のストロボ装置では、発光素子からの光が閃光素子用反射面に入射せず、閃光素子用反射面によって閃光素子からの光のみが反射され、閃光素子用反射面からの反射光がストロボ装置の照射方向に照射される。また、請求項１に記載のストロボ装置では、閃光素子からの光が発光素子用反射面に入射せず、発光素子用反射面によって発光素子からの光のみが反射され、発光素子用反射面からの反射光がストロボ装置の照射方向に照射される。
【００２０】
その結果、請求項１に記載のストロボ装置によれば、閃光素子からの光の配光制御と、発光素子からの光の配光制御とを完全に独立して行うことができる。
【００２７】
請求項２に記載のストロボ装置では、発光素子用反射面が、概略階段状の複数の平面によって構成されている。更に、中間反射面が、概略階段状の複数の平面によって構成されている。そのため、請求項２に記載のストロボ装置によれば、発光素子用反射面が曲面によって構成され、中間反射面が曲面によって構成されている場合よりも、リフレクタ全体の上下方向寸法を小型化することができる。
【００２８】
請求項３に記載のストロボ装置では、閃光素子からの光を反射するための閃光素子用反射面と、閃光素子とは異なる第１発光素子からの光を反射するための第１発光素子用反射面と、閃光素子とは異なる第２発光素子からの光を反射するための第２発光素子用反射面とが、凹状のリフレクタに別個に設けられている。また、閃光素子が凹状のリフレクタの内側に配置され、第１発光素子用反射面および第２発光素子用反射面が、閃光素子からの光の光路から外れた位置に配置されている。
【００２９】
更に、請求項３に記載のストロボ装置では、第１発光素子および第２発光素子が凹状のリフレクタの外側に配置されている。また、第１発光素子からの光を凹状のリフレクタの内側の第２発光素子用反射面に導光するための第１導光手段と、第２発光素子からの光を凹状のリフレクタの内側の第１発光素子用反射面に導光するための第２導光手段とが、設けられている。
【００３０】
そのため、請求項３に記載のストロボ装置では、第１発光素子および第２発光素子からの光が閃光素子用反射面に入射せず、閃光素子用反射面によって閃光素子からの光のみが反射され、閃光素子用反射面からの反射光がストロボ装置の照射方向に照射される。また、請求項３に記載のストロボ装置では、閃光素子からの光が第１発光素子用反射面および第２発光素子用反射面に入射せず、第１発光素子用反射面および第２発光素子用反射面によって第１発光素子および第２発光素子からの光のみが反射され、第１発光素子用反射面からの反射光および第２発光素子用反射面からの反射光がストロボ装置の照射方向に照射される。
【００３１】
その結果、請求項３に記載のストロボ装置によれば、閃光素子からの光の配光制御と、第１発光素子および第２発光素子からの光の配光制御とを完全に独立して行うことができる。
【００３２】
詳細には、請求項３に記載のストロボ装置では、第１発光素子と、第１導光手段と、第１発光素子用反射面とが、閃光素子用反射面の上側に配置されている。また、第２発光素子と、第２導光手段と、第２発光素子用反射面とが、閃光素子用反射面の下側に配置されている。
【００３３】
つまり、請求項３に記載のストロボ装置では、閃光素子用反射面の上側に配置された第１発光素子からの光が、閃光素子用反射面の上側に配置された第１導光手段によって、閃光素子用反射面の下側に配置された第２発光素子用反射面に導光され、次いで、第２発光素子用反射面によって反射され、次いで、閃光素子用反射面の上側に配置された第１発光素子用反射面によって反射され、ストロボ装置の照射方向に照射される。
【００３４】
また、請求項３に記載のストロボ装置では、閃光素子用反射面の下側に配置された第２発光素子からの光が、閃光素子用反射面の下側に配置された第２導光手段によって、閃光素子用反射面の上側に配置された第１発光素子用反射面に導光され、次いで、第１発光素子用反射面によって反射され、次いで、閃光素子用反射面の下側に配置された第２発光素子用反射面によって反射され、ストロボ装置の照射方向に照射される。
【００３５】
そのため、請求項３に記載のストロボ装置によれば、閃光素子からの光の配光制御と、第１発光素子からの光の配光制御と、第２発光素子からの光の配光制御とを完全に独立して行うことができる。つまり、請求項３に記載のストロボ装置によれば、３系統の光の配光制御を完全に独立して行うことができる。
【００３６】
請求項４に記載のストロボ装置では、閃光素子からの光を反射するための閃光素子用反射面と、閃光素子とは異なる発光素子からの光を反射するための発光素子用反射面とが、凹状のリフレクタに別個に設けられている。また、閃光素子が凹状のリフレクタの内側に配置され、発光素子用反射面が、閃光素子からの光の光路から外れた位置に配置されている。
【００３７】
更に、請求項４に記載のストロボ装置では、発光素子が凹状のリフレクタの外側に配置されている。また、発光素子からの光を凹状のリフレクタの内側の発光素子用反射面に導光するための導光手段が設けられている。
【００３８】
そのため、請求項４に記載のストロボ装置では、発光素子からの光が閃光素子用反射面に入射せず、閃光素子用反射面によって閃光素子からの光のみが反射され、閃光素子用反射面からの反射光がストロボ装置の照射方向に照射される。また、請求項４に記載のストロボ装置では、閃光素子からの光が発光素子用反射面に入射せず、発光素子用反射面によって発光素子からの光のみが反射され、発光素子用反射面からの反射光がストロボ装置の照射方向に照射される。
【００３９】
その結果、請求項４に記載のストロボ装置によれば、閃光素子からの光の配光制御と、発光素子からの光の配光制御とを完全に独立して行うことができる。
【００４０】
詳細には、請求項４に記載のストロボ装置では、発光素子が閃光素子用反射面の後側に配置されている。更に、発光素子用反射面が、閃光素子用反射面の上側の発光素子用反射面上側部分と、閃光素子用反射面の下側の発光素子用反射面下側部分とに分割して形成されている。また、導光手段が、閃光素子用反射面の上側に延びている導光手段上側部分と、閃光素子用反射面の下側に延びている導光手段下側部分とに分岐せしめられている。
【００４１】
つまり、請求項４に記載のストロボ装置では、閃光素子用反射面の後側に配置された発光素子からの光の一部が、閃光素子用反射面の上側に延びている導光手段上側部分によって、閃光素子用反射面の下側に配置された発光素子用反射面下側部分に導光され、次いで、発光素子用反射面下側部分によって反射され、次いで、閃光素子用反射面の上側に配置された発光素子用反射面上側部分によって反射され、ストロボ装置の照射方向に照射される。
【００４２】
また、請求項４に記載のストロボ装置では、閃光素子用反射面の後側に配置された発光素子からの光の一部が、閃光素子用反射面の下側に延びている導光手段下側部分によって、閃光素子用反射面の上側に配置された発光素子用反射面上側部分に導光され、次いで、発光素子用反射面上側部分によって反射され、次いで、閃光素子用反射面の下側に配置された発光素子用反射面下側部分によって反射され、ストロボ装置の照射方向に照射される。
【００４３】
そのため、請求項４に記載のストロボ装置によれば、発光素子の数を増加させることなく、発光素子用反射面のうち、ストロボ装置の照射方向から光って見える部分の面積を増加させることができる。
【００４４】
請求項５に記載のストロボ装置では、導光手段が可撓性に形成されている。そのため、請求項５に記載のストロボ装置によれば、導光手段が剛性に形成されている場合よりも、発光素子のレイアウトの自由度を向上させることができる。
【発明を実施するための最良の形態】
【００４５】
以下、本発明に関連する発明のストロボ装置の第１の形態について説明する。図１は本発明に関連する発明の第１の形態のストロボ装置を右側から見た断面図である。本発明に関連する発明の第１の形態のストロボ装置では、図１に示すように、例えばキセノン管のような閃光素子１ａから放射された光Ｌａの一部が、凹状のリフレクタ２によって反射され、ストロボ装置の照射方向（図１の左側）に照射される。また、例えばＬＥＤのような発光素子１ｂから照射された光Ｌｂが、導光手段としてのライトガイド（導光レンズ）３によって凹状のリフレクタ２に導光され、次いで、凹状のリフレクタ２によって反射され、ストロボ装置の照射方向（図１の左側）に照射される。
【００４６】
詳細には、本発明に関連する発明の第１の形態のストロボ装置では、図１に示すように、閃光素子１ａからの光Ｌａを反射するための閃光素子用反射面２ａと、発光素子１ｂからの光Ｌｂを反射するための発光素子用反射面２ｂとが、凹状のリフレクタ２に別個に設けられている。また、閃光素子１ａが凹状のリフレクタ２の内側に配置され、発光素子用反射面２ｂが、閃光素子１ａからの光Ｌａの光路から外れた位置に配置されている。
【００４７】
更に、本発明に関連する発明の第１の形態のストロボ装置では、図１に示すように、発光素子１ｂが凹状のリフレクタ２の外側に配置されている。また、発光素子１ｂからの光を凹状のリフレクタ２の内側の発光素子用反射面２ｂに導光するためのライトガイド（導光レンズ）３が、閃光素子１ａからの光Ｌａの光路から外れた位置に設けられている。そのため、本発明に関連する発明の第１の形態のストロボ装置では、発光素子１ｂからの光Ｌｂが閃光素子用反射面２ａに入射せず、閃光素子用反射面２ａによって閃光素子１ａからの光Ｌａのみが反射され、閃光素子用反射面２ａからの反射光Ｌａがストロボ装置の照射方向（図１の左側）に照射される。また、本発明に関連する発明の第１の形態のストロボ装置では、閃光素子１ａからの光Ｌａが発光素子用反射面２ｂに入射せず、発光素子用反射面２ｂによって発光素子１ｂからの光Ｌｂのみが反射され、発光素子用反射面２ｂからの反射光Ｌｂがストロボ装置の照射方向（図１の左側）に照射される。
【００４８】
その結果、本発明に関連する発明の第１の形態のストロボ装置によれば、閃光素子１ａからの光Ｌａの配光制御と、発光素子１ｂからの光Ｌｂの配光制御とを完全に独立して行うことができる。
【００４９】
また、本発明に関連する発明の第１の形態のストロボ装置では、詳細には図示しないが、例えば図１に示す形状をストロボ装置の左右方向にスイープすることにより、閃光素子用反射面２ａが形成されている。つまり、閃光素子用反射面２ａが例えば放物柱面によって構成されている。更に、本発明に関連する発明の第１の形態のストロボ装置では、図１に示すように、発光素子１ｂとライトガイド（導光レンズ）３とが閃光素子用反射面２ａの下側に配置され、発光素子用反射面２ｂが閃光素子用反射面２ａの上側に配置されている。
【００５０】
つまり、本発明に関連する発明の第１の形態のストロボ装置では、閃光素子用反射面２ａの下側に配置された発光素子１ｂからの光Ｌｂが、閃光素子用反射面２ａの下側に配置されたライトガイド（導光レンズ）３によって、閃光素子用反射面２ａの上側に配置された発光素子用反射面２ｂに導光され、次いで、発光素子用反射面２ｂによって反射され、ストロボ装置の照射方向（図１の左側）に照射される。そのため、本発明に関連する発明の第１の形態のストロボ装置によれば、ストロボ装置全体の左右方向寸法を大型化させることなく、閃光素子１ａからの光Ｌａの配光制御と、発光素子１ｂからの光Ｌｂの配光制御とを完全に独立して行うことができる。
【００５１】
換言すれば、本発明に関連する発明の第１の形態のストロボ装置は、閃光素子１ａからの光Ｌａとは光量、色調が異なる発光素子１ｂからの光Ｌｂをストロボ装置の照射方向（図１の左側）に照射することを目的としている。詳細には、本発明に関連する発明の第１の形態のストロボ装置では、図１に示すように、発光素子１ｂから照射された光Ｌｂが、ライトガイド（導光レンズ）３によって導光され、発光素子用反射面２ｂによって反射される過程で適正な光量・配光に制御され、ストロボ装置の照射方向（図１の左側）に照射される。
【００５２】
本発明に関連する発明の第１の形態のストロボ装置では、図１に示すように、ライトガイド（導光レンズ）３の上面（射出面、照射面）が例えば平面によって構成されているが、本発明に関連する発明の第２の形態のストロボ装置では、代わりに、ライトガイド（導光レンズ）３の上面（射出面、照射面）を凹状面または凸状面によって構成することも可能である。
【００５３】
また、本発明に関連する発明の第１の形態のストロボ装置では、図１に示すように、発光素子用反射面２ｂが凹状面によって構成され、ライトガイド（導光レンズ）３の上面（射出面、照射面）からの光Ｌｂが概略４５°の入射角で発光素子用反射面２ｂに入射せしめられているが、本発明に関連する発明の第３の形態のストロボ装置では、代わりに、例えば平面、放物面などのような、図１に示す形状とは異なる形状の面によって発光素子用反射面２ｂを構成したり、ライトガイド（導光レンズ）３の上面（射出面、照射面）からの光Ｌｂを４５°とは異なる入射角で発光素子用反射面２ｂに入射させることも可能である。
【００５４】
更に、本発明に関連する発明の第１の形態のストロボ装置では、発光素子用反射面２ｂからストロボ装置の照射方向（図１の左側）に照射される光Ｌｂが、例えばカメラの赤目防止用、距離測定用発光、連続発光などに用いられるが、本発明に関連する発明の第４の形態のストロボ装置では、閃光素子１ａのみが発光せしめられる第１モード、発光素子１ｂのみが発光せしめられる第２モードとは別個に、閃光素子１ａおよび発光素子１ｂの両方が発光せしめられる第３モードを設けることにより、閃光素子１ａからの光Ｌａの色調および発光素子１ｂからの光Ｌｂの色調とは異なる色調の光をストロボ装置の照射方向（図１の左側）に照射することも可能である。本発明に関連する発明の第４の形態のストロボ装置によれば、例えば第１モードと第３モードとを使い分けることにより、異なる光量・配光が要求される遠方撮影・近接撮影などの要求に対応可能である。
【００５５】
以下、本発明のストロボ装置の第１の実施形態について説明する。第１の実施形態のストロボ装置は、後述する点を除き、上述した本発明に関連する発明の第１の形態のストロボ装置とほぼ同様に構成されている。従って、第１の実施形態のストロボ装置によれば、後述する点を除き、上述した本発明に関連する発明の第１の形態のストロボ装置とほぼ同様の効果を奏することができる。
【００５６】
図２は第１の実施形態のストロボ装置を右側から見た断面図である。本発明に関連する発明の第１の形態のストロボ装置では、図１に示すように、ライトガイド（導光レンズ）３からの光が発光素子用反射面２ｂに直接入射せしめられるが、第１の実施形態のストロボ装置では、図２に示すように、ライトガイド（導光レンズ）３からの光が中間反射面２ｃに入射せしめられ、中間反射面２ｃからの反射光が発光素子用反射面２ｂに入射せしめられる。
【００５７】
詳細には、第１の実施形態のストロボ装置では、図２に示すように、発光素子１ｂと、ライトガイド（導光レンズ）３と、発光素子用反射面２ｂとが、閃光素子用反射面２ａの上側に配置されている。更に、ライトガイド（導光レンズ）３からの光を発光素子用反射面２ｂに反射するための中間反射面２ｃが、閃光素子用反射面２ａの下側に配置されている。つまり、第１の実施形態のストロボ装置では、閃光素子用反射面２ａの上側に配置された発光素子１ｂからの光が、閃光素子用反射面２ａの上側に配置されたライトガイド（導光レンズ）３によって、閃光素子用反射面２ａの下側に配置された中間反射面２ｃに導光され、次いで、中間反射面２ｃによって反射され、次いで、閃光素子用反射面２ａの上側に配置された発光素子用反射面２ｂによって反射され、ストロボ装置の照射方向（図２の左側）に照射される。
【００５８】
そのため、第１の実施形態のストロボ装置によれば、中間反射面２ｃが設けられていない図１に示した本発明に関連する発明の第１の形態のストロボ装置よりも、発光素子用反射面２ｂが閃光素子用反射面２ａの上縁より上側に突出する量を抑制しつつ、発光素子用反射面２ｂからの反射光Ｌｂを上下方向に広角に照射することができる。
【００５９】
換言すれば、第１の実施形態のストロボ装置では、図２に示すように、閃光素子用反射面２ａと発光素子用反射面２ｂと中間反射面２ｃとを有するリフレクタ２全体の外形を、図１に示した本発明に関連する発明の第１の形態のストロボ装置の閃光素子用反射面２ａのみの外形に近づけることができる。
【００６０】
また、第１の実施形態のストロボ装置では、図２に示すように、ライトガイド（導光レンズ）３からの光が、中間反射面２ｃの後側部分２ｃ’に照射され、中間反射面２ｃの後側部分２ｃ’によって反射される。更に、中間反射面２ｃの後側部分２ｃ’からの反射光の一部が、ストロボ装置の上側かつ後側（図２の右側）に向かって反射される。また、中間反射面２ｃの後側部分２ｃ’からの反射光の一部が、ストロボ装置の上側かつ前側（図２の左側）に向かって反射される。そのため、第１の実施形態のストロボ装置によれば、図１に示した本発明に関連する発明の第１の形態のストロボ装置よりも発光素子用反射面２ｂと水平面とがなす角度を小さくしつつ、発光素子用反射面２ｂからの反射光Ｌｂを上下方向に広角に照射することができる。
【００６１】
第１の実施形態のストロボ装置では、図２に示すように、発光素子用反射面２ｂおよび中間反射面２ｃが例えば放物面によって構成されているが、第２の実施形態のストロボ装置では、代わりに、発光素子用反射面２ｂおよび中間反射面２ｃを放物面以外の任意の面によって構成することも可能である。
【００６２】
図３は閃光素子用反射面２ａと発光素子用反射面２ｂとの境界位置２ａｂ、および、閃光素子用反射面２ａと中間反射面２ｃとの境界位置２ａｃを説明するための図である。図３に示すように、閃光素子用反射面２ａと発光素子用反射面２ｂとの境界位置２ａｂ、および、閃光素子用反射面２ａと中間反射面２ｃとの境界位置２ａｃをストロボ装置の後側（図３の右側）にシフトさせることにより、閃光素子用反射面２ａからの光の量に対する発光素子用反射面２ｂからの光の量の割合を増加させることができる。一方、閃光素子用反射面２ａと発光素子用反射面２ｂとの境界位置２ａｂ、および、閃光素子用反射面２ａと中間反射面２ｃとの境界位置２ａｃをストロボ装置の前側（図３の左側）にシフトさせることにより、閃光素子用反射面２ａからの光の量に対する発光素子用反射面２ｂからの光の量の割合を減少させることができる。
【００６３】
以下、本発明のストロボ装置の第３の実施形態について説明する。第３の実施形態のストロボ装置は、後述する点を除き、上述した第１の実施形態のストロボ装置とほぼ同様に構成されている。従って、第３の実施形態のストロボ装置によれば、後述する点を除き、上述した第１の実施形態のストロボ装置とほぼ同様の効果を奏することができる。
【００６４】
図４は第３の実施形態のストロボ装置を右側から見た断面図である。第１の実施形態のストロボ装置では、図２に示すように、発光素子用反射面２ｂが連続的な１つの放物面によって構成され、中間反射面２ｃが連続的な１つの放物面によって構成されているが、第３の実施形態のストロボ装置では、図４に示すように、発光素子用反射面２ｂが例えば概略階段状の４つの平面２ｂａ，２ｂｂ，２ｂｃ，２ｂｄによって構成され、中間反射面２ｃが例えば概略階段状の４つの平面２ｃａ，２ｃｂ，２ｃｃ，２ｃｄによって構成されている。そのため、第３の実施形態のストロボ装置によれば、発光素子用反射面２ｂが曲面によって構成され、中間反射面２ｃが曲面によって構成されている第１の実施形態のストロボ装置よりも、リフレクタ２の全体の上下方向寸法を小型化することができる。
【００６５】
以下、本発明のストロボ装置の第４の実施形態について説明する。図５は第４の実施形態のストロボ装置を右側から見た断面図である。第４の実施形態のストロボ装置では、図５に示すように、例えばキセノン管のような閃光素子１ａからの光Ｌａを反射するための閃光素子用反射面２ａと、例えばＬＥＤのような発光素子１ｂ１からの光Ｌｂ１を反射するための発光素子用反射面２ｂ１と、例えばＬＥＤのような発光素子１ｂ２からの光Ｌｂ２を反射するための発光素子用反射面２ｂ２とが、凹状のリフレクタ２に別個に設けられている。また、閃光素子１ａが凹状のリフレクタ２の内側に配置され、発光素子用反射面２ｂ１，２ｂ２が、閃光素子１ａからの光Ｌａの光路から外れた位置に配置されている。
【００６６】
更に、第４の実施形態のストロボ装置では、図５に示すように、発光素子１ｂ１，１ｂ２が凹状のリフレクタ２の外側に配置されている。また、発光素子１ｂ１からの光Ｌｂ１を凹状のリフレクタ２の内側の発光素子用反射面２ｂ２に導光するための導光手段としてのライトガイド（導光レンズ）３−１と、発光素子１ｂ２からの光Ｌｂ２を凹状のリフレクタ２の内側の発光素子用反射面２ｂ１に導光するための導光手段としてのライトガイド（導光レンズ）３−２とが、設けられている。
【００６７】
そのため、第４の実施形態のストロボ装置では、図５に示すように、発光素子１ｂ１，１ｂ２からの光Ｌｂ１，Ｌｂ２が閃光素子用反射面２ａに入射せず、閃光素子用反射面２ａによって閃光素子１ａからの光Ｌａのみが反射され、閃光素子用反射面２ａからの反射光Ｌａがストロボ装置の照射方向（図５の左側）に照射される。また、第４の実施形態のストロボ装置では、閃光素子１ａからの光Ｌａが発光素子用反射面２ｂ１，２ｂ２に入射せず、発光素子用反射面２ｂ１，２ｂ２によって発光素子１ｂ１，１ｂ２からの光Ｌｂ１，Ｌｂ２のみが反射され、発光素子用反射面２ｂ１，２ｂ２からの反射光Ｌｂ１，Ｌｂ２がストロボ装置の照射方向（図５の左側）に照射される。
【００６８】
その結果、第４の実施形態のストロボ装置によれば、閃光素子１ａからの光Ｌａの配光制御と、発光素子１ｂ１，１ｂ２からの光Ｌｂ１，Ｌｂ２の配光制御とを完全に独立して行うことができる。
【００６９】
詳細には、第４の実施形態のストロボ装置では、図５に示すように、発光素子１ｂ１と、ライトガイド（導光レンズ）３−１と、発光素子用反射面２ｂ１とが、閃光素子用反射面２ａの上側に配置されている。また、発光素子１ｂ２と、ライトガイド（導光レンズ）３−２と、発光素子用反射面２ｂ２とが、閃光素子用反射面２ａの下側に配置されている。
【００７０】
つまり、第４の実施形態のストロボ装置では、図５に示すように、閃光素子用反射面２ａの上側に配置された発光素子１ｂ１からの光Ｌｂ１が、閃光素子用反射面２ａの上側に配置されたライトガイド（導光レンズ）３−１によって、閃光素子用反射面２ａの下側に配置された発光素子用反射面２ｂ２に導光され、次いで、発光素子用反射面２ｂ２によって反射され、次いで、閃光素子用反射面２ａの上側に配置された発光素子用反射面２ｂ１によって反射され、ストロボ装置の照射方向（図５の左側）に照射される。
【００７１】
また、第４の実施形態のストロボ装置では、図５に示すように、閃光素子用反射面２ａの下側に配置された発光素子１ｂ２からの光Ｌｂ２が、閃光素子用反射面２ａの下側に配置されたライトガイド（導光レンズ）３−２によって、閃光素子用反射面２ａの上側に配置された発光素子用反射面２ｂ１に導光され、次いで、発光素子用反射面２ｂ１によって反射され、次いで、閃光素子用反射面２ａの下側に配置された発光素子用反射面２ｂ２によって反射され、ストロボ装置の照射方向（図５の左側）に照射される。
【００７２】
そのため、第４の実施形態のストロボ装置によれば、閃光素子１ａからの光Ｌａの配光制御と、発光素子１ｂ１からの光Ｌｂ１の配光制御と、発光素子１ｂ２からの光Ｌｂ２の配光制御とを完全に独立して行うことができる。つまり、第８の実施形態のストロボ装置によれば、３系統の光Ｌａ，Ｌｂ１，Ｌｂ２の配光制御を完全に独立して行うことができる。
【００７３】
以下、本発明のストロボ装置の第５の実施形態について説明する。図６は第５の実施形態のストロボ装置を右側から見た断面図である。第５の実施形態のストロボ装置では、図６に示すように、例えばキセノン管のような閃光素子１ａからの光Ｌａを反射するための閃光素子用反射面２ａと、例えばＬＥＤのような発光素子１ｂからの光Ｌｂａ，Ｌｂｂを反射するための発光素子用反射面２ｂ１，２ｂ２とが、凹状のリフレクタ２に別個に設けられている。また、閃光素子２ａが凹状のリフレクタ２の内側に配置され、発光素子用反射面２ｂ１，２ｂ２が、閃光素子１ａからの光Ｌａの光路から外れた位置に配置されている。
【００７４】
更に、第５の実施形態のストロボ装置では、図６に示すように、発光素子１ｂが凹状のリフレクタ２の外側に配置されている。また、発光素子１ｂからの光Ｌｂａ，Ｌｂｂを凹状のリフレクタ２の内側の発光素子用反射面２ｂ１，２ｂ２に導光するための導光手段としてのライトガイド（導光レンズ）３が設けられている。
【００７５】
そのため、第５の実施形態のストロボ装置では、図６に示すように、発光素子１ｂからの光Ｌｂａ，Ｌｂｂが閃光素子用反射面２ａに入射せず、閃光素子用反射面２ａによって閃光素子１ａからの光Ｌａのみが反射され、閃光素子用反射面２ａからの反射光Ｌａがストロボ装置の照射方向（図６の左側）に照射される。また、第５の実施形態のストロボ装置では、閃光素子１ａからの光Ｌａが発光素子用反射面２ｂ１，２ｂ２に入射せず、発光素子用反射面２ｂ１，２ｂ２によって発光素子１ｂからの光Ｌｂａ，Ｌｂｂのみが反射され、発光素子用反射面２ｂ１，２ｂ２からの反射光Ｌｂａ，Ｌｂｂがストロボ装置の照射方向（図６の左側）に照射される。
【００７６】
その結果、第５の実施形態のストロボ装置によれば、閃光素子１ａからの光Ｌａの配光制御と、発光素子１ｂからの光Ｌｂａ，Ｌｂｂの配光制御とを完全に独立して行うことができる。
【００７７】
詳細には、第５の実施形態のストロボ装置では、図６に示すように、発光素子１ｂが閃光素子用反射面２ａの後側（図６の右側）に配置されている。更に、発光素子用反射面２ｂ１，２ｂ２が、閃光素子用反射面２ａの上側の発光素子用反射面上側部分（２ｂ１）と、閃光素子用反射面２ａの下側の発光素子用反射面下側部分（２ｂ２）とに分割して形成されている。また、ライトガイド（導光レンズ）３が、閃光素子用反射面２ａの上側に延びているライトガイド上側部分３ａと、閃光素子用反射面２ａの下側に延びているライトガイド下側部分３ｂとに分岐せしめられている。
【００７８】
つまり、第５の実施形態のストロボ装置では、図６に示すように、閃光素子用反射面２ａの後側（図６の右側）に配置された発光素子１ｂからの光の一部（Ｌｂａ）が、閃光素子用反射面２ａの上側に延びているライトガイド上側部分３ａによって、閃光素子用反射面２ａの下側に配置された発光素子用反射面下側部分（２ｂ２）に導光され、次いで、発光素子用反射面下側部分（２ｂ２）によって反射され、次いで、閃光素子用反射面２ａの上側に配置された発光素子用反射面上側部分（２ｂ１）によって反射され、ストロボ装置の照射方向（図６の左側）に照射される。
【００７９】
また、第５の実施形態のストロボ装置では、図６に示すように、閃光素子用反射面２ａの後側（図６の右側）に配置された発光素子１ｂからの光の一部（Ｌｂｂ）が、閃光素子用反射面２ａの下側に延びているライトガイド下側部分３ｂによって、閃光素子用反射面２ａの上側に配置された発光素子用反射面上側部分（２ｂ１）に導光され、次いで、発光素子用反射面上側部分（２ｂ１）によって反射され、次いで、閃光素子用反射面２ａの下側に配置された発光素子用反射面下側部分（２ｂ２）によって反射され、ストロボ装置の照射方向（図６の左側）に照射される。
【００８０】
そのため、第５の実施形態のストロボ装置によれば、発光素子１ｂの数を増加させることなく、発光素子用反射面２ｂ１，２ｂ２のうち、ストロボ装置の照射方向（図６の左側）から光って見える部分の面積を増加させることができる。
【００８１】
以下、本発明のストロボ装置の第６の実施形態について説明する。第６の実施形態のストロボ装置は、後述する点を除き、上述した第５の実施形態のストロボ装置とほぼ同様に構成されている。従って、第６の実施形態のストロボ装置によれば、後述する点を除き、上述した第５の実施形態のストロボ装置とほぼ同様の効果を奏することができる。
【００８２】
図７は第６の実施形態のストロボ装置を右側から見た断面図である。第５の実施形態のストロボ装置では、図６に示すように、発光素子１ｂからの光を凹状のリフレクタ２の内側の発光素子用反射面２ｂ１，２ｂ２に導光するための導光手段としてライトガイド（導光レンズ）３が用いられているが、第６の実施形態のストロボ装置では、図７に示すように、発光素子１ｂからの光を凹状のリフレクタ２の内側の発光素子用反射面２ｂ１，２ｂ２に導光するための導光手段として光ファイバー３’が用いられている。
【００８３】
詳細には、第６の実施形態のストロボ装置では、図７に示すように、発光素子１ｂが例えば閃光素子用反射面２ａの後側（図７の右側）に配置されている。更に、発光素子用反射面２ｂ１，２ｂ２が、閃光素子用反射面２ａの上側の発光素子用反射面上側部分（２ｂ１）と、閃光素子用反射面２ａの下側の発光素子用反射面下側部分（２ｂ２）とに分割して形成されている。また、光ファイバー３’が、閃光素子用反射面２ａの上側に延びている光ファイバー上側部分３ａ’と、閃光素子用反射面２ａの下側に延びている光ファイバー下側部分３ｂ’とに分岐せしめられている。
【００８４】
つまり、第６の実施形態のストロボ装置では、図７に示すように、例えば閃光素子用反射面２ａの後側（図７の右側）に配置された発光素子１ｂからの光の一部（Ｌｂａ）が、閃光素子用反射面２ａの上側に延びている光ファイバー上側部分３ａ’によって、閃光素子用反射面２ａの下側に配置された発光素子用反射面下側部分（２ｂ２）に導光され、次いで、発光素子用反射面下側部分（２ｂ２）によって反射され、次いで、閃光素子用反射面２ａの上側に配置された発光素子用反射面上側部分（２ｂ１）によって反射され、ストロボ装置の照射方向（図６の左側）に照射される。詳細には、第６の実施形態のストロボ装置では、光ファイバー上側部分３ａ’の前側（図７の左側）端部から照射される光Ｌｂａが発光素子用反射面２ｂ２に指向せしめられるように、光ファイバー上側部分３ａ’の前側（図７の左側）端部が、固定部材４ａによってリフレクタ２に固定されている。
【００８５】
また、第６の実施形態のストロボ装置では、図７に示すように、例えば閃光素子用反射面２ａの後側（図７の右側）に配置された発光素子１ｂからの光の一部（Ｌｂｂ）が、閃光素子用反射面２ａの下側に延びている光ファイバー下側部分３ｂ’によって、閃光素子用反射面２ａの上側に配置された発光素子用反射面上側部分（２ｂ１）に導光され、次いで、発光素子用反射面上側部分（２ｂ１）によって反射され、次いで、閃光素子用反射面２ａの下側に配置された発光素子用反射面下側部分（２ｂ２）によって反射され、ストロボ装置の照射方向（図７の左側）に照射される。詳細には、第６の実施形態のストロボ装置では、光ファイバー下側部分３ｂ’の前側（図７の左側）端部から照射される光Ｌｂｂが発光素子用反射面２ｂ１に指向せしめられるように、光ファイバー下側部分３ｂ’の前側（図７の左側）端部が、固定部材４ｂによってリフレクタ２に固定されている。
【００８６】
そのため、第６の実施形態のストロボ装置によれば、発光素子１ｂの数を増加させることなく、発光素子用反射面２ｂ１，２ｂ２のうち、ストロボ装置の照射方向（図７の左側）から光って見える部分の面積を増加させることができる。
【００８７】
更に、第６の実施形態のストロボ装置では、図７に示すように、導光手段として可撓性の光ファイバー３’が用いられている。そのため、第６のストロボ装置によれば、導光手段として剛性のライトガイド（導光レンズ）３が用いられている第５の実施形態のストロボ装置よりも、発光素子１ｂのレイアウトの自由度を向上させることができる。つまり、第６の実施形態のストロボ装置では、発光素子１ｂを閃光素子用反射面２ａの前側（図７の左側）、上側または下側に配置することも可能である。
【００８８】
第７の実施形態では、上述した本発明に関連する発明の第１から第４の形態および第１から第６の実施形態を適宜組み合わせることも可能である。
【産業上の利用可能性】
【００８９】
本発明のストロボ装置は、例えば撮像素子を用いた製品に用いられるストロボ装置、デジタルスチルカメラ用ストロボ装置、デジタルビデオカメラ用ストロボ装置、携帯電話用ストロボ装置、光ビーコン用ストロボ装置等に適用可能である。
【図面の簡単な説明】
【００９０】
【図１】本発明に関連する発明の第１の形態のストロボ装置を右側から見た断面図である。
【図２】第１の実施形態のストロボ装置を右側から見た断面図である。
【図３】閃光素子用反射面２ａと発光素子用反射面２ｂとの境界位置２ａｂ、および、閃光素子用反射面２ａと中間反射面２ｃとの境界位置２ａｃを説明するための図である。
【図４】第３の実施形態のストロボ装置を右側から見た断面図である。
【図５】第４の実施形態のストロボ装置を右側から見た断面図である。
【図６】第５の実施形態のストロボ装置を右側から見た断面図である。
【図７】第６の実施形態のストロボ装置を右側から見た断面図である。
【符号の説明】
【００９１】
１ａ              閃光素子
１ｂ              発光素子
２                リフレクタ
２ａ              閃光素子用反射面
２ｂ              発光素子用反射面
３                ライトガイド（導光レンズ）
Ｌａ，Ｌｂ        光
【図１】
0005261684.tif 000002
【図２】
0005261684.tif 000003
【図３】
0005261684.tif 000004
【図４】
0005261684.tif 000005
【図５】
0005261684.tif 000006
【図６】
0005261684.tif 000007
【図７】
0005261684.tif 000008